(57)【特許請求の範囲】
【請求項１】
取付金具によって、道路用反射鏡が支柱に取付けられた道路用反射装置であって、前記取付金具は、半円状に湾曲された挟着片とそれに延設された平板状の支持片とを有する取付板ユニットを二個一対として構成されると共に、一方の取付板ユニットの挟着片先端には略Ｔ字状の係合部が設けられ、他方の取付板ユニットの挟着片先端には前記係合部を挿通させて係止する長孔状の係止孔が設けられ、両取付板ユニットを相対向させると共に、一方の取付板ユニットの係合部を他方の取付板ユニットの係止孔に係止させて両取付板ユニットを連結することができ、且つ、両取付板ユニットの挟着片の支持片寄りの部分に、その連結した両取付板ユニットの挟着片間を締めつけるために挿通される締付ボルトの挿通孔が穿設されると共に、前記挿通孔が穿設された挟着片の支持片寄りの部分は両取付板ユニットの挟着片間を締めつけるために相互に間隔を開けて設けられ、この挿通孔に挿通した締付ボルトにより、連結した両取付板ユニットの挟着片間を締めつけて、挟着片間で支柱を挟着することによって支柱に取付けることができ、加えて前記挟着片の支持片寄りの部分の先端が内方に向けて折曲され、さらにその先端が外方に向けて折曲されて前記挟着片から支持片が延設され、かようにして、この支柱に取付けた状態の両取付板ユニットにおいて、両取付板ユニットの平板状の支持片が相対向されるようになされており、前記締付ボルトを締めつけた状態において、相対向されるようになされたこの二個の支持片が、道路用反射鏡の裏面に相対向して立設された二個一対の起立片からなる取付部の前記起立片間に挿入された状態で、前記支持片に取付部が固定されて、道路用反射鏡が支柱に取付けられたことを特徴とする道路用反射装置。
【請求項２】
前記取付金具は、支持片に、道路用反射鏡の裏面に設けられた取付部を固定するための取付ボルトを挿通する取付ボルト孔が二個穿設され、その取付ボルト孔の内、一方の取付ボルト孔は、他方の取付ボルト孔を中心として円弧状に穿設されていることを特徴とする請求項１に記載の道路用反射装置。
【発明の詳細な説明】
【０００１】
【発明の属する技術分野】
本発明は、取付金具によって道路用反射鏡が支柱に取付けられた道路用反射装置に関するものである。
【０００２】
【従来の技術】
例えば、車両の走行及び歩行者の通行等の交通安全を確保するために、道路の曲がり角や見通しの悪い所には、道路用反射鏡や道路標識板等が支柱に取付けられている。従来、かかる道路用反射鏡等を支柱に取付けるための取付金具としては、例えば図５に示される如く、支柱ａの外周に対応した円環状の挟着部ｂの一部を切り欠き、その開口縁に突片ｃを相対向して外方に突出させると共に、その突片ｃの反対側に支持片ｄを溶接等により突出させたものがある。この取付金具は、挟着部ｂに支柱ａを挿入し、締付ボルトｅで突片ｃ間を締め付けることにより、前記挟着部ｂで支柱ａを挟着すると共に、支持片ｄを道路用反射鏡等の裏面に設けられた取付部に固定するようになされている。
【０００３】
【発明が解決しようとする課題】
しかしながら、かかる取付金具は、既に設置されている支柱ａに取付ける場合は、この取付金具を支柱ａの先端高さ以上に持ち上げて挟着部ｂに支柱ａを挿入し、そして適当な位置まで下方にスライドさせた後、締付ボルトｅで突片ｃ間を締め付けて支柱ａに固定することから、取付時にこの作業に対応した背の高い脚立等が必要であること等、取付けが極めて手間であり、且つ脚立等の昇り降りによる危険な作業を余儀なくされ、さらに道路用反射鏡等の破損の場合の取り外しも極めて手間である。
【０００４】
又この取付金具は、挟着部ｂが円環状であるため、梱包上大きな空間を必要とすることから、輸送効率も悪い。さらに取付金具は、強度と耐錆性が要求されることから、一般に鋼板から作成され、その上に防錆処理として溶融亜鉛メッキがなされるが、前記の如く挟着部ｂが円環状であり、容積が大きいためメッキの効率も悪い。
【０００５】
そこで本発明は、上記の如き問題を解決し、取付けが極めて容易であり、且つ取付けに際して、危険な作業を伴うことのない、さらに輸送等の効率のよい取付金具により道路用反射鏡が支柱に取付けられた道路用反射装置を提供せんとするものである。
【０００６】
【課題を解決するための手段】
上記目的を達成するために、本発明は次のような構成としている。
すなわち、本発明に係る道路用反射装置は、取付金具によって、道路用反射鏡が支柱に取付けられた道路用反射装置であって、前記取付金具は、半円状に湾曲された挟着片とそれに延設された平板状の支持片とを有する取付板ユニットを二個一対として構成されると共に、一方の取付板ユニットの挟着片先端には略Ｔ字状の係合部が設けられ、他方の取付板ユニットの挟着片先端には前記係合部を挿通させて係止する長孔状の係止孔が設けられ、両取付板ユニットを相対向させると共に、一方の取付板ユニットの係合部を他方の取付板ユニットの係止孔に係止させて両取付板ユニットを連結することができ、且つ、両取付板ユニットの挟着片の支持片寄りの部分に、その連結した両取付板ユニットの挟着片間を締めつけるために挿通される締付ボルトの挿通孔が穿設されると共に、前記挿通孔が穿設された挟着片の支持片寄りの部分は両取付板ユニットの挟着片間を締めつけるために相互に間隔を開けて設けられ、この挿通孔に挿通した締付ボルトにより、連結した両取付板ユニットの挟着片間を締めつけて、挟着片間で支柱を挟着することによって支柱に取付けることができ、加えて前記挟着片の支持片寄りの部分の先端が内方に向けて折曲され、さらにその先端が外方に向けて折曲されて前記挟着片から支持片が延設され、かようにして、この支柱に取付けた状態の両取付板ユニットにおいて、両取付板ユニットの平板状の支持片が相対向されるようになされており、前記締付ボルトを締めつけた状態において、相対向されるようになされたこの二個の支持片が、道路用反射鏡の裏面に相対向して立設された二個一対の起立片からなる取付部の前記起立片間に挿入された状態で、前記支持片に取付部が固定されて、道路用反射鏡が支柱に取付けられたことを特徴とするものである。
【０００７】
本発明によれば、一方の取付板ユニットの係合部を他方の取付板ユニットの係止孔に係止させて両取付板ユニットを連結し、その連結した両取付板ユニットの挟着片内面を支柱の側面にあてがい、その内面間で支柱を挟着することにより、取付金具を支柱に取付けることができる。従って、支柱の側面より取付金具を取付けることができるので、従来の如く、取付金具を支柱の先端高さ以上に持ち上げて支柱に取付ける必要がなく、又取付けに特殊な工具を必要としないので、取付けが極めて容易であると共に、道路用反射鏡の破損時においても取り外しが容易であり、且つ脚立等の昇り降りによる危険な作業を伴わない。
【０００８】
又、取付金具は、ほぼ同形の取付板ユニットを二個一対として構成されているので、両取付板ユニットを重ねてコンパクトに収納することができ、梱包、輸送、在庫の効率がよく、同様に容積を小さくすることができるので、溶融亜鉛メッキを行う際においても、メッキ効率がよい。
【０００９】
さらに従来品は、取付金具の支柱裏側に位置する部分が突出して鋭角になっていることから、施工や取り外しの際に危険が伴うが、これに比べて本発明によれば、突出部分が一切なく、作業が安全となる。
【００１０】
【発明の実施の形態】
以下に本発明の実施の形態を図面に基づき具体的に説明する。
【００１１】
図１は本発明に係る道路用反射装置に用いられる取付金具の実施の一形態を示す分解斜視図、図２は本発明に係る道路用反射装置に用いられる取付金具によって支柱に道路用反射鏡を取付ける状態を示す説明図、図３は支柱に道路用反射鏡を取付けた本発明に係る道路用反射装置の実施の一形態を示す側面図、図４は図３の平面図である。
【００１２】
図面において、１は取付金具、２は道路用反射鏡、３は前記取付金具によって道路用反射鏡を取付ける支柱である。
【００１３】
取付金具１は、二個の取付板ユニット１ａを一対として構成され、各取付板ユニット１ａは、取付けられるべき支柱３の外周に対応して半円状に湾曲された挟着片１１とそれに延設された平板状の支持片１２とを有し、さらに一方の取付板ユニット１ａの挟着片１１先端には細幅の首部１３と、その先端より左右に張り出された羽根部１４とからなる略Ｔ字状の係合部１５が設けられ、他方の取付板ユニット１ａの挟着片１１先端には、長手方向の長さが前記羽根部１４の幅より長く、そして幅が前記首部１３の幅より広く且つ羽根部１４の幅より狭い長孔状の係止孔１６が設けられている。そして両取付板ユニット１ａを相対向させると共に、一方の取付板ユニット１ａの係合部１５を他方の取付板ユニット１ａの係止孔１６に挿通させて係止することにより、両取付板ユニット１ａを連結させることができる。
【００１４】
さらに各取付板ユニット１ａの支持片１２には、この支持片１２に道路用反射鏡２の裏面に設けられた取付部２１を固定するための取付ボルト４を挿通する取付ボルト孔１７，１８が二個穿設されており、そしてその取付ボルト孔１７，１８の内、一方の取付ボルト孔１８は、他方の取付ボルト孔１７を中心として円弧状に穿設されている。
【００１５】
又、挟着片１１の支持片１２寄りには、連結された両取付板ユニット１ａの挟着片１１間を締めつけるために挿通される締付ボルト５の挿通孔１９が穿設されている。
【００１６】
前記取付板ユニット１ａは、適宜材料から任意の方法によって形成されるが、一般には鋼板を材料として、プレス加工により形成され、その表面には防錆処理として溶融亜鉛メッキが施される。
【００１７】
道路用反射鏡２は、その表面側に鏡面２２が形成され、裏面側には相対向して立設された二個一対の起立片２３からなる取付部２１が形成され、この起立片２３には、前記取付板ユニット１ａの支持片１２に穿設された取付ボルト孔１７，１８に対応した取付孔２４が穿設されている。
【００１８】
前記道路用反射鏡２は、アクリル等の合成樹脂、ステンレス等の金属、その他ガラス等から作製されるが、防錆効果の優れたステンレスから作製されるのが好ましい。なお前記道路用反射鏡２の表面側に形成された鏡面２２は表面が直接鏡面研磨されて形成されていてもよいし、アクリル、ステンレス、ガラス等の鏡面体が表面に積層されることにより形成されていてもよく、特に限定されるものではない。
【００１９】
前記道路用反射鏡２の形状は、一般には丸形と角形があり、その寸法は丸形では直径がφ６００、φ８００、φ１０００ｍｍ、角形では４５０×６００ｍｍ、６００×８００ｍｍが一般的であり、また鏡面２２の曲率半径は１５００、２２００、３０００ｍｍ又は３６００ｍｍ以上の凸面鏡が一般的である。
【００２０】
この道路用反射鏡２は、前記取付金具１を介して路側等に立設された支柱３に取付けられる。この取付手順を以下に説明する。
【００２１】
まず、両取付板ユニット１ａを相対向させ、一方の取付板ユニット１ａの係合部１５を他方の取付板ユニット１ａの係止孔１６に係止させて両取付板ユニット１ａを連結する。そしてその連結した両取付板ユニット１ａの挟着片１１を支柱３の側面にあてがうと共に、挿通孔１９に締付ボルト５を挿通し、この締付ボルト５によって、両取付板ユニット１ａの挟着片１１間を締めつけることにより、挟着片１１間で支柱３を挟着し、取付金具１を支柱３に取付ける。
【００２２】
次に、この支柱３に取付けられた両取付板ユニット１ａの支持片１２を、道路用反射鏡２の裏面に設けられた取付部２１の起立片２３間に挿入すると共に、支持片１２の取付ボルト孔１７，１８と起立片２３の取付孔２４とを合致させ、これら取付ボルト孔１７，１８及び取付孔２４に取付ボルト４を挿通して道路用反射鏡２を取付金具１に仮止めする。
【００２３】
次に、支持片１２の取付ボルト孔１７，１８は二個穿設されており、そしてその取付ボルト孔１７，１８の内、一方の取付ボルト孔１８は、他方の取付ボルト孔１７を中心として円弧状に穿設されているので、その中心となる取付ボルト孔１７に挿通した取付ボルト４を中心として、道路用反射鏡２を円弧に沿って回動してその取付角度を調整し、しかる後に取付ボルト４を本締めし、道路用反射鏡２を取付金具１に固定する。
【００２４】
【発明の効果】
本発明によれば、一方の取付板ユニットの係合部を他方の取付板ユニットの係止孔に係止させて両取付板ユニットを連結し、その連結した両取付板ユニットの挟着片内面を支柱の側面にあてがい、その内面間で支柱を挟着することにより、取付金具を支柱に取付けることができる。従って、支柱の側面より取付金具を取付けることができるので、従来の如く、取付金具を支柱の先端高さ以上に持ち上げて支柱に取付ける必要がなく、又取付けに特殊な工具を必要としないので、取付けが極めて容易であると共に、道路用反射鏡の破損時においても取り外しが容易であり、且つ脚立等の昇り降りによる危険な作業を伴わない。
【００２５】
又、取付金具は、ほぼ同形の取付板ユニットを二個一対として構成されているので、両取付板ユニットを重ねてコンパクトに収納することができ、梱包、輸送、在庫の効率がよく、同様に容積を小さくすることができるので、溶融亜鉛メッキを行う際においても、メッキ効率がよい。
【００２６】
さらに従来品は、取付金具の支柱裏側に位置する部分が突出して鋭角になっていることから、施工や取り外しの際に危険が伴うが、これに比べて本発明によれば、突出部分が一切なく、作業が安全となる。
【図面の簡単な説明】
【図１】  本発明に係る道路用反射装置に用いられる取付金具の実施の一形態を示す分解斜視図である。
【図２】  本発明に係る道路用反射装置に用いられる取付金具によって支柱に道路用反射鏡を取付ける状態を示す説明図である。
【図３】支柱に道路用反射鏡を取付けた本発明に係る道路用反射装置の実施の一形態を示す側面図である。
【図４】図３の平面図である。
【図５】従来の取付金具を示す平面図である。
【符号の説明】
１    取付金具
１ａ  取付板ユニット
１１  挟着片
１２  支持片
１３  首部
１４  羽根部
１５  係合部
１６  係止孔
１７  取付ボルト孔
１８  取付ボルト孔
１９  挿通孔
２    道路用反射鏡
２１  取付部
２２  鏡面
２３  起立片
２４  取付孔
３    支柱
４    取付ボルト
５    締付ボルト
【図１】
0004721491.tif 000002
【図２】
0004721491.tif 000003
【図３】
0004721491.tif 000004
【図４】
0004721491.tif 000005
【図５】
0004721491.tif 000006